(57)【要約】【課題】エコロジーな収納棚の引き出しレール構造を提供する。【解決手段】エコロジーな収納棚の引き出しレール構造は、主な特徴として、収納棚本体の内空間の底面は竹材でなり、深さ方向に沿って延伸する複数のV字型レール、或いは、V字型槽を有し、引き出し本体の底面は、竹材でなり、深さ方向に延伸し、収納棚本体のV字型レール、或いは、V字型槽と対応して滑動するV字型槽、或いは、V字型レールを設置する。V字型槽が引き出し本体底面に設置される時、V字型槽の前、後端は、引き出し本体の前、後端辺に完全には延伸せず、且つ、V字型レールの前、後端と前後端辺の距離は、引き出し本体の前パネルと後パネルの厚さに等しく、複数の引き出し本体をスタックして収納箱にすることができる。【選択図】図１B
0003151141.tif 000002
【実用新案登録請求の範囲】
【請求項１】
エコロジーな収納棚の引き出しレール構造であって、竹材で製造された収納棚本体と引き出し本体からなり、前記収納棚本体は、前記引き出し本体と適合する内空間を有し、その特徴は、
前記収納棚本体の内空間の底面は竹材でなり、深さ方向に沿って延伸する複数のV字型レール、或いは、V字型槽を有し、前記引き出し本体の底面は、竹材でなり、深さ方向に延伸し、前記収納棚本体のV字型レールと対応して滑動するV字型槽、或いは、前記収納棚本体のV字型槽と対応して滑動するV字型レールを設置することを特徴とするエコロジーな収納棚の引き出しレール構造。
【請求項２】
前記V字型槽が前記引き出し本体底面に設置される時、前記V字型槽の前端は、前記引き出し本体の前端辺に完全には延伸せず、前記V字型槽の前端で停止部を形成し、前記収納棚本体に設置された前記V字型レールの前端も、前記収納棚本体の内空間前端辺に完全には延伸せず、前記V字型槽の前端は前記停止部の阻止を受けることを特徴とする請求項１に記載のエコロジーな収納棚の引き出しレール構造。  
【請求項３】
前記V字型レールが前記引き出し本体の底面に設置される時、前記V字型レールの前、後端は、前記引き出し本体の前、後端辺に完全には延伸せず、且つ、前記V字型レールの前、後端と前記前後端辺の距離は、前記引き出し本体の前パネルと後パネルの厚さに等しく、複数の引き出し本体をスタックして収納箱にすることができることを特徴とする請求項１に記載のエコロジーな収納棚の引き出しレール構造。
【考案の詳細な説明】
【技術分野】
【０００１】
本考案は、完全に竹材を利用して製造した収納装置に関するものであって、特に、環境に優しく、環境を汚染しない収納装置に関するものである。
【背景技術】
【０００２】
現在、竹材で製造され、引き出しのある収納棚は、引き出し本体が収納棚本体から出し入れのために滑動するときに安定するように、一般に、引き出し本体の底面と収納棚本体の内空間底面に、それぞれ、互いに適合して、滑動するレールと槽を有する。レールと槽は、どちらも、金属やプラスチック等の材料から製造されるので、後に、収納棚を廃棄することになると、金属やプラスチック材料のレールと槽を取り外して、回収処理するか、そうでなければ、直接廃棄するが、これらの材質は完全には分解されないので、環境を破壊する。金属やプラスチック材料で製造されたレールや槽は、回収できたとしても、回収作業の負担が増加し、経済的でなく、更には、エコロジーに対する現代のニーズに符合しない。
【考案の概要】
【考案が解決しようとする課題】
【０００３】
本考案は、公知の竹製で、引き出しを有する収納棚の引き出し本体と収納棚本体の滑動を安定させるレールと槽が、金属かプラスチックで製造され、後に廃棄される時、環境を汚染する問題を解決することを目的とする。
【課題を解決するための手段】
【０００４】
上述の目的を達成するため、本考案は、完全に竹材を採用して製造した収納装置を提供し、収納棚本体と引き出し本体がどちらも竹材を使用して製造されるだけでなく、引き出しが収納本体で滑動する時の安定を維持するレールと槽も竹製であり、後に、収納棚を廃棄するときに、大自然環境中で完全に自然分解されるので、環境に優しく、環境を汚染しない。
【考案の効果】
【０００５】
本考案の収納装置は、全て竹材から製造され、後に、収納棚を廃棄するときに、大自然環境中で完全に自然分解されて、環境に優しく、環境を汚染しない。
【図面の簡単な説明】
【０００６】
【図１Ａ】本考案の第一実施例による引き出し本体を示す立体図である。
【図１Ｂ】本考案の第一実施例による収納棚本体を示す立体図である。
【図１Ｃ】本考案の第一実施例による引き出し本体を収納棚本体を組み合わせた時の平面図である。
【図２Ａ】本考案の第二実施例による引き出し本体を示す立体図である。
【図２Ｂ】本考案の第二実施例による収納棚本体を示す立体図である。
【図２Ｃ】本考案の第二実施例による引き出し本体を収納棚本体を組み合わせた時の平面図である。
【図３Ａ】本考案の第三実施例による引き出し本体を示す立体図である。
【図３Ｂ】本考案の第三実施例による複数の引き出し本体を収納箱にスタックした状態を示す平面図である。
【図３Ｃ】図３BのA-A方向の断面図である。
【実施例１】
【０００７】
まず、図１A〜図１Cを参照すると、本考案が提供するエコロジーな収納棚の引き出しレール構造は、竹材で製造される引き出し本体１と収納棚本体２からなる。収納棚本体２は、引き出し本体１と適合する内空間２１を有し、内空間２１の底面は竹材でなり、深さ方向に沿って延伸するV字型レール２２を設置する。本考案の実施例において、V字型レール２２は内空間２１の底面の相対する両側に設置される。引き出し本体１の底面は竹材でなり、深さ方向に延伸し、V字型レール２２と対応して滑動するV字型槽１１を有する。引き出し本体１を内空間２１内に入れた後、外側からはこのV字型レール２２は見えない。本考案の第一実施例において、引き出し本体１底面に設置されたV字型槽１１前端は、引き出し本体１の前端辺に完全には延伸せず、V字型レール１１前端に停止部１１１を形成する。内空間２１底面の両V字型レール２２前端も、収納棚本体２の内空間の前端辺に完全には延伸しない。よって、引き出し本体１が内空間２１に滑入する時、V字型レール２２は隠れて見えず、引き出し本体１が内空間２１に完全に進入した後、V字型レール２２の前端により、停止部１１１が内空間に入り続けるのを阻止する。
【実施例２】
【０００８】
図２A〜図２Cは、本考案の第二実施例を示す図で、収納棚本体２の内空間２１底面両側に、竹材からなり、深さ方向に沿って延伸するV字型槽２３を設置する。引き出し本体１の底面は、竹材からなり、深さ方向に延伸して、V字型槽２３と対応して滑動するV字型レール１２を設置する。第二実施例において、引き出し本体１底面のV字型レール１２前端は、引き出し本体１の前端辺に完全に延伸する。内空間２１底面のV字型槽２３前端も、収納棚本体２の内空間前端辺に完全に延伸し、同様に、引き出し本体と収納棚本体を組み合わせて、滑動する功能を達成し、第一実施例と異なるのは、第二実施例の構造は、引き出し本体前方のパネルからV字型レールが見えることである。
【実施例３】
【０００９】
図３A〜図３Cは、本考案の第三実施例を示す図であり、V字型レール２２を引き出し本体１底面に設置する時、V字型レール２２の前、後端は、引き出し本体１の前、後端に完全には延伸せず、且つ、V字型レール２２の前、後端と引き出し本体１の前、後端辺距離Sは、引き出し本体１の前パネル１３と後パネル１４の厚さに等しい。よって、この構造により、引き出し本体１が収納棚本体に滑入できる以外に、複数の引き出し本体１を単独でスタック使用して、置物箱を構成することもできる。その組み合わせ方式は、図３Bと図３Cのように、直接、引き出し本体１を両引き出し本体１上に跨置し、上方の引き出し本体下方に位置する両V字型レール２２を下方の両引き出し本体１の内縁に嵌入して定位し、そのスタックの高度は制限を受けず、使用者の必要に応じて決定することができる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１０】
引き出し本体１
収納棚本体２
V字型槽１１
停止部１１１
V字型レール１２
前パネル１３
後パネル１４
内空間２１
V字型レール２２
V字型槽２３
距離S
【図１Ａ】
0003151141.tif 000003
【図１Ｂ】
0003151141.tif 000004
【図１Ｃ】
0003151141.tif 000005
【図２Ａ】
0003151141.tif 000006
【図２Ｂ】
0003151141.tif 000007
【図２Ｃ】
0003151141.tif 000008
【図３Ａ】
0003151141.tif 000009
【図３Ｂ】
0003151141.tif 000010
【図３Ｃ】
0003151141.tif 000011